(57)【特許請求の範囲】
【請求項１】
戸先側縦枠、戸尻側縦枠、上枠を有するドア枠と、
前記ドア枠に対して開閉可能に取り付けた扉体と、
前記扉体の戸先側端面に設けたストライクと、
前記戸先側縦枠内に設けた電気錠本体と、
を備えており、
前記電気錠本体は、
前記ストライクに対して電動で係脱するデッドボルトと、
戸先側縦枠の室外側面部に露出する鍵穴を備えたシリンダ錠と、
戸先側縦枠の室内側面部に露出する施解錠操作部と、
を備えており、
前記戸先側縦枠の室外側面部はドア枠の全高に亘って延びており、当該室外側面部には、幅方向中央の凹面である中央面と、中央面に対して扉体側に位置する第１側面と、中央面に対して扉体と反対側に位置する第２側面と、前記第１側面の立ち上がり面と、前記第２側面の立ち上がり面とにより凹状部が形成されており、前記シリンダ錠は前記凹状部に位置して前記中央面に露出しており、前記凹状部には、前記シリンダ錠を隠蔽できる幅寸法を備え、ドア枠の全高に延び、前記中央面を全高・全幅に亘って覆う化粧パネルが着脱可能あるいは回動可能に設けてある、
電気錠を備えたドア構造。
【請求項２】
前記戸尻側縦枠の室外側面部はドア枠の全高に亘って延びており、当該室外側面部の幅寸法は、前記戸先側縦枠の室外側面部の幅寸法とほぼ同じ寸法を有し、
前記戸尻側縦枠の室外側面部には、幅方向中央の凹面である中央面と、中央面に対して扉体側に位置する第１側面と、中央面に対して扉体と反対側に位置する第２側面と、前記第１側面の立ち上がり面と、前記第２側面の立ち上がり面とにより凹状部が形成されており、
前記戸尻側縦枠の前記中央面、前記第１側面、前記第２側面の高さ寸法・幅寸法は、それぞれ、前記戸先側縦枠の前記中央面、前記第１側面、前記第２側面の高さ寸法・幅寸法とほぼ同じであり、
前記戸尻側縦枠の前記凹状部には、前記戸先側縦枠の前記凹状部に設けた前記化粧パネルと同一の幅寸法・高さ寸法を備えた化粧パネルが設けてある、請求項１に記載のドア構造。
【請求項３】
前記戸先側縦枠の室外側面部に設けた化粧パネルは、高さ方向に複数に分割された複数の分割化粧パネルからなり、少なくとも電気錠本体のシリンダ錠を隠蔽する分割化粧パネルが着脱可能あるいは可動可能となっている、
請求項１、２いずれか１項に記載のドア構造。
【発明の詳細な説明】
【技術分野】
【０００１】
本発明は、電気錠を備えたドア装置に関するものである。
【背景技術】
【０００２】
電気錠を備えたドアとしては、扉体側に設けた電気錠本体からデットボルトが突出して躯体側のストライクに係合してロック状態となるもの、躯体側に設けた電気錠本体からデットボルトが突出して扉体側のストライクに係合してロック状態となるものが知られている。
【０００３】
後者の態様において、防犯上、電気錠本体のシリンダ錠の鍵穴が外部に露出することがないような構成を採用することが望ましいが、特許文献１、２に開示された構成では、いずれも、いわゆる袖パネルを利用してシリンダ錠の鍵穴を隠蔽するようになっており、袖パネルを必要とすることから、設計上の制限が生じてしまう。
【０００４】
また、通常の戸先側縦枠に電気錠本体を納めるとするならば、戸尻側縦枠に比べて戸先側縦枠の見付けが大きくなってしまい、意匠上好ましくない。
【特許文献１】特許第４６１３１１９号
【特許文献２】特開２００９−３０２７５号
【発明の開示】
【発明が解決しようとする課題】
【０００５】
本発明は、袖パネルの有無にかかわらずに、美観上・防犯上有利な電気錠を備えたドア装置を提供することを目的とするものである。
【課題を解決するための手段】
【０００６】
本発明が採用した技術手段は、
戸先側縦枠、戸尻側縦枠を有するドア枠と、
前記ドア枠に対して開閉可能に取り付けた扉体と、
前記扉体の戸先側端面に設けたストライクと、
前記戸先側縦枠内に設けた電気錠本体と、
を備えており、
前記電気錠本体は、
前記ストライクに対して電動で係脱するデッドボルトと、
戸先側縦枠の室外側面部に露出する鍵穴を備えたシリンダ錠と、
戸先側縦枠の室内側面部に露出する施解錠操作部と、
を備えており、
前記戸先側縦枠の室外側面部には、前記シリンダ錠を隠蔽できる幅寸法を備え、当該室外側面部の全高に延びる化粧パネルが着脱可能あるいは回動可能（開閉可能）に設けてある、
電気錠を備えたドア構造、である。
【０００７】
１つの態様では、前記戸尻側縦枠の室外側面部の幅寸法は、前記戸先側縦枠の室外側面部の幅寸法とほぼ同じ寸法を有し、
前記戸尻側縦枠の室外側面部には、前記化粧パネルと同一の幅寸法・高さ寸法を備えた化粧パネルが設けてある。
なお、化粧パネルは１本物でも、高さ方向に分割されていてもよく、１つの態様では、前記戸先側縦枠の室外側面部に設けた化粧パネルは、高さ方向に複数に分割された複数の分割化粧パネルからなり、少なくとも電気錠本体のシリンダ錠を隠蔽する分割化粧パネルが着脱可能あるいは可動可能となっている。
【発明の効果】
【０００８】
本発明では、戸先側縦枠の室外側面部には、全高に亘って化粧パネルを着脱可能あるいは回動可能に設けて電気錠のシリンダ錠を隠蔽するので、室外側からのシリンダ錠の取付位置の特定及びシリンダ錠の鍵孔へのアクセスを防止することができる。
【０００９】
戸先側縦枠に電気錠のシリンダ錠を隠蔽する化粧パネルを設け、さらに、戸尻側縦枠にも同一の化粧パネルを設けて、戸先側、戸尻側で共通の意匠とすることにより、戸先側縦枠内に錠前（電気錠本体）が隠蔽されていることに気づきにくくすると共に、ドア枠の意匠性も高めることができる。
【００１０】
したがって、袖パネルの有無にかかわらずに、美観上・防犯上有利な電気錠を備えたドア装置を提供することができる。
１つの態様では、戸先側縦枠に隣接して袖パネルが設けられるが、当該袖パネルは、電気錠本体の納まりとは無関係である。
【図面の簡単な説明】
【００１１】
【図１】ドア装置を室外側から見た正面図である。
【図２】ドア装置を室内側から見た正面図である。
【図３】ドア装置の横断面図である。
【図４】ドア装置を室外側から見た正面図であり、戸先側縦枠の化粧パネルを取り外した状態を示す図である。
【図５】ドア装置の横断面図であり、戸先側縦枠の化粧パネルを取り外した状態を示す図である。
【図６】他の実施形態に係るドア装置の横断面図である。
【発明を実施するための形態】
【００１２】
図１は電気錠を備えたドア装置を室外側から見た図、図２は同ドア装置を室内側から見た図、図３は同ドア装置の横断面図である。ドア装置は、建物開口部を形成する枠体と、建物開口部を開閉するように枠体に設けられた扉体１、とからなる。枠体は、上枠２、下枠３、戸先側縦枠４、戸尻側縦枠５、からなる方形状の四周枠（ドア枠）であり、内側に建物開口部を形成しており、枠体の戸先側縦枠４、戸尻側縦枠５の外側（建物開口部から離隔する側）には躯体としての壁体Ｗが備わっている。
【００１３】
扉体１は、室外側面部１０、室内側面部１１、戸先側端面１２、戸尻側端面１３、を備えている。扉体１の室外側面部１０及び室内側面部１１には、戸先側に近接して、扉体１の高さの略中央部位に位置して取手１４が設けてある。扉体１の室内側面部１１の上方にはドアクローザ１５が設けてある。扉体１は、開き戸であり、戸尻側部位を、吊金具（丁番、ピボットヒンジ等）１６を用いて戸尻側縦枠５に対して回動自在に装着することで建物開口部を開閉可能になっている。
【００１４】
電気錠は、デッドボルト６１を備えた電気錠本体６と、デッドボルト６１を受け入れるストライク７と、からなり、電気錠本体６は、戸先側縦枠４の内部空間に設けてあり、ストライク７は、扉体１の戸先側端面１２に設けてある。戸先側縦枠４は、室外側面部（室外側見付面）４０、室内側面部（室内側見付面）４１、開口部に面する内側の側面部（見込面）４２と、開口部から遠い側に位置する外側の側面部４３と、を備えており、内部は中空状となっている。
【００１５】
戸先側縦枠４の内部には、電気錠本体（図示しない配線を含む）のみが設けてある。図示の態様では、戸先側縦枠４には、高さ方向に間隔を存して２つの電気錠本体６が設けてあり、扉体１の戸先側端面１２には、高さ方向に間隔を存して２つのストライク７が設けてある。なお、図示の態様では、戸先側縦枠４の外側の側面４３の外側には壁体Ｗが位置しているが、戸先側縦枠４の外側に位置して、当該戸先側縦枠４とは別個に独立して、電気錠のリーダ、インターフォンや新聞受け等を備えた袖パネルを設置してもよい。この態様においても、袖パネルは、電気錠の納まりとは関係しない。袖パネルが設置されない場合には、電気錠のリーダが戸先側縦枠４の室外側面部４０に付く。
【００１６】
電気錠本体６は、本体ケース６０と、デッドボルト６１と、シリンダ錠６２と、施解錠操作部として例示するサムターン６３と、を備えている。開口部全閉時において、電気錠本体６のデッドボルト６１を扉体１側のストライク７に対して電気的に出没させて、デッドボルト６１をストライク７に対して係脱させることで、施錠・解錠を行う。図示の例では、デッドボルト６１は水平方向に往復動するものであるが、回動するデッドボルトでもよい。シリンダ錠６２の鍵穴は、戸先側縦枠４の室外側面部４０から露出しており、サムターン６３は、戸先側縦枠４の室内側面部４１から室内空間に露出している。停電時等には、シリンダ錠６２の鍵穴からキー操作をすることで、室外側からデッドボルト６１をストライク７に対して手動で係脱させることができる。
【００１７】
図示の態様に係る戸先側縦枠４の形状について詳述する。室外側面部４０は、幅方向中央の凹面である中央面４００と、中央面４００の右側（建物開口部に近い側）の第１側面４０１、中央面４００の左側（建物開口部から遠い側）の第２側面４０２と、からなる。第１側面４０１、第２側面４０２の幅寸法は同じである。なお、第１側面４０１、第２側面４０２の幅寸法は異なっていてもよく、具体的には、第２側面４０２の幅が第１側面４０１の幅よりも大きくても小さくてもよい。中央面４００と、第１側面４０１の立ち上がり面４０３、第２側面４０２の立ち上がり面４０４、から、戸先側縦枠４の室外側面部４０に凹部が形成されている。
【００１８】
建物開口部に近い側の側面部４２は、室外側に位置する第１面部４２０と、開口部全閉時に、扉体１の戸先側端面１２に対向する中央の第２面部４２１と、室内側に位置する第３面部４２２と、から段部状に形成されている。なお、第２面部４２１には、扉体１の取手１４の動きに連動して出没するラッチ（図示せず）のストライクが設けられる。扉体１の戸先側端面１２の室外側部位には突部１２０が突成されており、開口部全閉時に、突部１２０の先端は、第１面部４２０に近接している。建物開口部から遠い側の側面部４３は、全高・全幅に亘って塞がれている必要はなく、側面部４３の開口を通して、電気錠本体の配線（図示せず）をしてもよい。例えば、側面部４３の外側に位置して、電気錠のリーダが設置される場合（例えば、袖パネルないしエントランスパネル上）に、リーダから電気錠本体へ配線して電気信号を供給するようにしてもよい。また、戸先側縦枠４の室内側面部４１は平面であり、凹凸は無く、その幅寸法は、室外側面部４０の幅寸法よりも大きい。
【００１９】
図示の態様に係る戸尻側縦枠５の形状について詳述する。室外側面部５０は、幅方向中央の凹面である中央面５００と、中央面５００の左側（建物開口部に近い側）の第１側面５０１、中央面５００の右側（建物開口部から遠い側）の第２側面５０２と、からなる。第１側面５０１、第２側面５０２の幅寸法は同じである。戸先側縦枠４の室外側面部４０と同様に、戸先側縦枠５の室外側面部５０に凹部が形成されている。第１側面５０１の一部（図示の態様では半部）は、見込面５２を越えて開口部側に突出している。戸尻側縦枠５の室外側面部５０の幅寸法は、室内側面部５１の幅寸法よりも大きい。なお、態様によっては、室外側面部５０の幅寸法が、室内側面部５１の幅寸法よりも小さい場合もあり得る。
【００２０】
戸尻側縦枠５の室外側面部５０、中央面５００、第１側面５０１、第２側面５０２、の高さ寸法・幅寸法は、それぞれ、戸先側縦枠４の室外側面部４０、中央面４００、第１側面４０１、第２側面４０２、の高さ寸法・幅寸法と同じである。なお、上枠２の室外側面部の幅寸法、第１側面４０１の幅寸法、第１側面５０１の幅寸法を同幅にする場合が多いが、例えば、上枠２の室外側面部の幅寸法のみを異ならしめてもよい。
【００２１】
戸先側縦枠４における電気錠本体６の納まりについて説明する。シリンダ錠６２の長さ寸法は、戸先側縦枠４の見込寸法にほぼ対応しており、より詳しくは、室外側面部４０の中央面４００と室内側面部４１間の距離に対応しており、中央面４００の幅寸法は、電気錠本体のシリンダ錠６２の前面部の直径よりも大きい寸法を有し、室外側面部４０の凹部内に位置して、シリンダ錠６２の鍵穴は中央面４００に露出している。
【００２２】
戸先側縦枠４の室外側面部４０の凹部には、中央面４００を、全高・全幅に亘って覆うように化粧パネル８が着脱可能に設けられる。化粧パネル８は、ドア枠の全高に亘って延びる高さ寸法を備えており、少なくとも、シリンダ錠６２の前面部（鍵穴を備える）を覆うような幅寸法を備えている。化粧パネル８は、正面部８０と、建物開口部に近い側の第１側面部８１、建物開口部から遠い側の第２側面部８２と、から断面視コ字形状を備えている。化粧パネル８の第１側面部８１、第２側面部８２の見込寸法は、凹部の深さ（第１側面４０１、第２側面４０２の立ち上がり寸法ないし見込寸法）よりも小さく、中央面４００から露出するシリンダ錠６２の前面部の厚さよりも大きい。化粧パネル８の正面部８０の幅寸法は、中央面４００の幅寸法よりも僅かに（第１側面部８１、第２側面部８２の板厚分）小さく、化粧パネル８が戸先側縦枠４の室外側面部４０に取り付けられた状態で、第１側面部８１、第２側面部８２がそれぞれ、第１側面４０１、第２側面４０２の立ち上がり面４０３、４０４に近接している。化粧パネル８の正面部８０は、全閉姿勢の扉体１の室外側面部１０と面一か、あるいは、室外側面部１０よりも室外側へ出っ張っている。
【００２３】
図４に示すように、戸先側縦枠４の室外側面部４０の中央面４００には、高さ方向に間隔を存して複数のパネル取付部材１７が設けてあり、パネル取付部材１７の面部と、化粧パネル８の正面部８０の裏面と、を磁石（図示せず）を介して着脱可能に連結する。化粧パネル８が磁性体の場合には、パネル取付部材１７の面部に磁石を固定し、化粧パネル８が非磁性体の場合には、パネル取付部材１７を磁性体から形成して、化粧パネル８に磁石を固定する。なお、化粧パネル８を着脱可能に戸先側縦枠４の室外側面部４０の中央面４００に設ける手段は、マグネット方式に限定されるものではなく、嵌合方式、係合方式、螺子止め（この場合は螺子頭を隠蔽することが望まし）等であってもよい。また、化粧パネルを丁番開閉式（隠し丁番が望ましい）としてもよい。図示の態様のように、化粧パネル８の左右に隙間が無い場合には、回動方式ではなく着脱方式が有利に採用される。
【００２４】
本実施形態では、戸先側縦枠４の室外側面部４０には、全高に亘って化粧パネル８を着脱可能に設けて電気錠６のシリンダ錠６２を隠蔽するので、室外側からのシリンダ錠６２の取付位置の特定及びシリンダ錠６２の鍵孔へのアクセスを防止した。より具体的には、シリンダ錠６２の鍵孔が室外側に露出しないことによりピッキングに対して有効であり、室外側からのシリンダ錠の取付位置の特定ができないことで、バール等のこじ開けに対して有効である。停電時等には室外側から手動で電気錠を施錠・解錠できるものでありながら、通常時はシリンダ錠６２が室外側に露出することがないので、美観上、防犯上良好である。
【００２５】
戸尻側縦枠５の室外側面部５０の凹部には、中央面５００を、全高・全幅に亘って覆うように化粧パネル９が設けられる。化粧パネル９は、化粧パネル８と同一の高さ寸法・幅寸法を備えている。化粧パネル９は、正面部９０と、建物開口部から遠い側の第１側面部９１、建物開口部に近い側の第２側面部９２と、から断面視コ字形状を備えている。化粧パネル９は固定式であってもよく、あるいは、化粧パネル８と同様に着脱可能とすることでデザイン変更を可能としてもよい。
【００２６】
図１において、斜線で示す領域が化粧パネル８、９である。図１から明らかなように、本実施形態では、戸先側縦枠４の室外側面部４０の幅寸法は、戸尻側縦枠５の室外側面部５０の幅寸法と同じであり、戸尻側縦枠５の室外側面部５０には、化粧パネル８と同一の幅寸法（見付寸法）・高さ寸法・見込寸法を備えた化粧パネル９が設けてあるので、ドア装置のドア枠は室外側から見た時に（正面視あるいは斜視において）、左右対称状のデザインとなり、意匠上良好である。ドア装置の戸先側、戸尻側で共通の意匠とすることにより、戸先側縦枠４内に電気錠本体６が隠蔽されていることに気づきにくくすると共に、ドア枠の意匠性も高めることができる。
【００２７】
化粧パネル８は、高さ方向に複数に分割されていてもよい。例えば、化粧パネル８を高さ方向に３つに分割して、３つの分割化粧パネルが戸先側縦枠の室外側面部の全高に対応するものでもよい。この態様では、少なくとも、電気錠本体に対応する分割化粧パネルである中央の分割化粧パネルが着脱可能あるいは回動可能となっていればよい。化粧パネル８を複数の分割化粧パネルから構成する場合には、化粧パネル９も複数の分割化粧パネルから構成することが望ましい。
【００２８】
図６は、他の実施形態に係るドア装置の横断面図であり、上述の実施形態と同一の要素については同一の参照番号が付してあり、同じ参照番号を付した要素の説明については、以下の記載を除き、既述の記載を援用することができる。化粧パネル８は、正面部８０と、建物開口部に近い側の第１側面部８１、建物開口部から遠い側の第２側面部８２と、から断面視コ字形状を備えている。化粧パネル８の第１側面部８１、第２側面部８２の見込寸法は、凹部の深さ（第１側面４０１、第２側面４０２の立ち上がり寸法ないし見込寸法）よりも大きく、かつ、中央面４００から露出するシリンダ錠６２の前面部の厚さ（凹部の深さよりも大きい）よりも大きい。化粧パネル８の正面部８０は、第１側面４０１、第２側面４０２に対して、室外側に突出している。
【００２９】
化粧パネル９は、正面部９０と、建物開口部から遠い側の第１側面部９１、建物開口部に近い側の第２側面部９２と、から断面視コ字形状を備えている。化粧パネル９の第１側面部９１、第２側面部９２の見込寸法は、凹部の深さ（第１側面５０１、第２側面５０２の立ち上がり寸法ないし見込寸法）よりも大きい。化粧パネル９の正面部９０は、第１側面５０１、第２側面５０２に対して、室外側に突出している。
【００３０】
本実施形態では、既述の実施形態と同様に、戸先側縦枠４の室外側面部４０の幅寸法は、戸尻側縦枠５の室外側面部５０の幅寸法と同じであり、戸尻側縦枠５の室外側面部５０には、化粧パネル８と同一の幅寸法（見付寸法）・高さ寸法・見込寸法を備えた化粧パネル９が設けてあるので、ドア装置のドア枠は室外側から見た時に（正面視あるいは斜視において）、左右対称状のデザインとなり、意匠上良好である。ドア装置の戸先側、戸尻側で共通の意匠とすることにより、戸先側縦枠４内に電気錠本体６が隠蔽されていることに気づきにくくすると共に、ドア枠の意匠性も高めることができる。
【符号の説明】
【００３１】
１  扉体
１２  戸先側端面
４  戸先側縦枠
４０  戸先側縦枠の室外側面部
５  戸尻側縦枠
５０  戸尻側縦枠の室外側面部
６  電気錠本体
６１  デッドボルト
６２  シリンダ錠
６３  サムターン（施解錠操作部）
７  ストライク
８  化粧パネル
９  化粧パネル
【図１】
0006633880.tif 000002
【図２】
0006633880.tif 000003
【図３】
0006633880.tif 000004
【図４】
0006633880.tif 000005
【図５】
0006633880.tif 000006
【図６】
0006633880.tif 000007